(57)【要約】  可変型ゴルフパターに関する。本発明による可変型ゴルフパターは、シャフトの下端部に結合され、ヘッド打撃面を有するパターヘッドと、上記パターヘッドに選択的に結合される打撃部材とを含む。上記打撃部材は、多様な打撃面が備えられることにより、多様な形態でパッティング練習をすることができ、打撃部材に異種材質の打撃材が一体化されることにより、多様な打撃感を提供することができ、よって、パッティング練習を効率的に行えるという効果を提供することができるようになる。【選択図】図３
2021502145.tif 000002
【特許請求の範囲】
【請求項１】
シャフトの下端部に結合され、ヘッド打撃面を有するパターヘッドと、上記パターヘッドに選択的に結合される打撃部材とを含み、
上記パターヘッドには、締結ボルトが底面から上向きに貫通するための貫通孔が段差状に形成され、上記貫通孔に対応する上記ヘッド打撃面には上記パターヘッドの上面の一部を打撃方向側に開放するための切開部が形成され、
上記打撃部材は、ゴルフボール状に形成され外周面に打撃面が形成され、上記上面に装着されるように上記上面の縁に支持される装着面と支持面が底面に段差状に形成され、上記装着面には上記締結ボルトが締結されて結合されるためのねじ締結溝が形成され、上記打撃面の一部が上記切開部を通して上記ヘッド打撃面よりもさらに突出されるように上記上面に装着された状態で上記締結ボルトにより上記パターヘッドに取り替え可能に結合され、
上記打撃部材の打撃面は、
ゴルフボールと同じ曲率からなる球面打撃面又は平面からなる平面打撃面からなり、上記平面打撃面からなる場合、上記打撃部材は上記平面打撃面の面積大きさ別に多数個備えられ選択的に上記パターヘッドに結合されることを特徴とする
可変型ゴルフパター。
【請求項２】
シャフトの下端部に結合され、ヘッド打撃面を有するパターヘッドと、上記パターヘッドに選択的に結合される打撃部材とを含み、
上記パターヘッドには、締結ボルトが底面から上向きに貫通するための貫通孔が段差状に形成され、上記貫通孔に対応する上記ヘッド打撃面には上記パターヘッドの上面の一部を打撃方向側に開放するための切開部が形成され、上記貫通孔が形成された上面には３〜８角形の結合突起が上向きに突出され、
上記打撃部材は、ゴルフボール状又は多角形に形成され相異なる形状と相異なる大きさの打撃面が外側面にそれぞれ形成され、底面には上記上面に装着されるための装着面が形成され、上記装着面には上記上面に装着されるときに上記結合突起が挿入されて結合され、上記打撃面と同じ方向を有する結合面が形成されるように３〜８角形からなる結合溝が上記締結ボルトが締結されて結合されるためのねじ締結溝を備えて形成され、
上記打撃面のうち選択された打撃面が上記切開部から露出するように上記打撃部材の方向を設定して上記結合溝に上記結合突起を結合させ、上記締結ボルトを上記貫通孔を通して上記結合溝のねじ締結溝に締結して結合し、
上記打撃部材の打撃面は、
ゴルフボールと同じ曲率からなる球面打撃面又は平面からなる平面打撃面からなり、上記平面打撃面からなる場合、上記打撃部材は上記平面打撃面の面積大きさ別に多数個備えられ選択的に上記パターヘッドに結合されることを特徴とする可変型ゴルフパター。
【請求項３】
上記球面打撃面又は平面打撃面には、上記打撃部材と異なる材質の打撃材が一体化されるように備えられ、上記打撃材は、上記球面打撃面又は平面打撃面に形成される打撃材用溝に満たされるかインサート射出成形によって上記打撃部材と一体化されることを特徴とする
請求項１又は２に記載の可変型ゴルフパター。
【請求項４】
上記シャフトの下端部は多角形に形成され、上記パターヘッドには上記シャフトの下端部が結合されるための多角形の結合部が左利き又は右利きの人が選択して使用するように両側にそれぞれ形成され、上記多角形の結合部は相互結合される角度を調節するように上記シャフトの下端部が上記結合部に嵌められた状態で上記パターヘッドの底面から締結されるボルトによって結合されることを特徴とする
請求項１又は２に記載の可変型ゴルフパター。
【請求項５】
上記打撃部材の結合溝の周りには厚さ調節溝が形成され、上記結合面を基準として上記打撃面の厚さが相異なるように形成されて異なる打撃感と打撃音が発生するように、上記厚さ調節溝の幅は相異なるように形成されることを特徴とする
請求項２に記載の可変型ゴルフパター。
【請求項６】
シャフトの下端部と一端が結合され水平方向に延びる結合部材を備えたパターヘッドと、ゴルフボールを打撃するための打撃面が一側に形成され、反対側には球面又は平面からなる練習打撃面が形成され、上記パターヘッドに結合される打撃部材とを含み、
上記打撃部材は、一体に形成されるか、上記打撃面と練習打撃面を選択するように大きさと形状が相異なる２乃至５個に分割形成されて上記結合部材に結合され、
上記シャフトの下端部は多角形に形成され、上記パターヘッドには上記シャフトの下端部が結合されるための多角形の結合部が形成され、相互結合される角度を調節するように上記シャフトの下端部が上記結合部に嵌められた状態で上記パターヘッドの底面から締結されるボルトによって結合されることを特徴とする
可変型ゴルフパター。
【請求項７】
上記打撃面及び練習打撃面には、上記打撃部材と異なる材質の打撃材が一体化されるように備えられ、上記打撃材は、上記打撃面及び練習打撃面に形成される打撃材用溝に満たされるかインサート射出成形によって上記打撃部材と一体化されることを特徴とする
請求項６に記載の可変型ゴルフパター。
【請求項８】
上記打撃部材が分割形成される場合、分割形成されたそれぞれの上記打撃部材は相異なる材質で形成されることを特徴とする
請求項６に記載の可変型ゴルフパター。
【請求項９】
上記練習打撃面が球面からなる場合、上記練習打撃面には上記打撃部材の外周面の曲率よりも小さい曲率を有する球面打撃部が形成され、上記球面打撃部には球面打撃面が形成されることを特徴とする
請求項６に記載の可変型ゴルフパター。
【請求項１０】
シャフトの下端部に結合されるパターヘッドを含み、
上記パターヘッドは、
ゴルフボール状を有する球形からなり上記シャフトの下端部が結合される第１打撃部材と、ゴルフボール状を有する球形からなり上記第１打撃部材と一直線上に位置するように上記第１打撃部材の側面に水平方向に結合される第２打撃部材と、ゴルフボール状を有する球形からなり上記第１打撃部材及び第２打撃部材と一直線上に位置するように上記第２打撃部材の側面に水平方向に結合される第３打撃部材；及び、
上記第１打撃部材と第２打撃部材及び第３打撃部材を貫通した一端にナットが締結され他端にシャフトが締結されて上記第１打撃部材と第２打撃部材及び第３打撃部材を一体化させるための結合ロッドを含んで構成され、
上記第１打撃部材と第２打撃部材及び第３打撃部材には、ゴルフボールと同じ曲率からなる球面打撃面及び平面からなる平面打撃面がそれぞれ形成され、上記平面打撃面は大きさが相異なるようにそれぞれ形成され、
上記第１打撃部材と第２打撃部材及び第３打撃部材は、相異なる材質からなり、
上記球面打撃面及び平面打撃面には、上記第１打撃部材と第２打撃部材及び第３打撃部材と異なる材質の打撃材が一体化されるように備えられ、上記打撃材は、上記球面打撃面及び平面打撃面に形成される打撃材用溝に満たされるかインサート射出成形によって上記打撃部材と一体化されることを特徴とする
可変型ゴルフパター。
【請求項１１】
上記第１打撃部材及び第３打撃部材と対向する上記第２打撃部材の両側面、及び上記第１打撃部材と第３打撃部材には、
上記第２打撃部材と第３打撃部材の位置を変更したり、それぞれの球面打撃面及び平面打撃面を選択したり、右利きと左利きによって打撃面を変更可能にするための位置変更手段が設けられ、
上記位置変更手段は、
所定の長さを有する多角形の連結結合部材；及び、
上記連結結合部材が嵌合されるように上記第１打撃部材と第２打撃部材及び第３打撃部材の両側面に形成される多角形の位置決定溝からなることを特徴とする
請求項１０に記載の可変型ゴルフパター。
【請求項１２】
シャフトの下端部と一端が結合され、ゴルフボールを打撃するための打撃面が一側に形成され、反対側には球面又は平面からなる練習打撃面が形成される打撃部材を含み、
上記シャフトの下端部は多角形に形成され、上記打撃部材には上記シャフトの下端部が結合されるための多角形の結合部が形成され、相互結合される角度を調節するように上記シャフトの下端部が上記結合部に嵌められた状態で上記打撃部材の底面から締結されるボルトによって結合されることを特徴とする
可変型ゴルフパター。
【請求項１３】
シャフトの下端部と結合されるためのシャフト結合孔とヘッド打撃面を有するパターヘッドと、上記パターヘッドに選択的に結合される打撃部材とを含み、
上記パターヘッドには、締結ボルトが底面から上向きに貫通するための貫通孔が段差状に形成され、上記貫通孔に対応する上記ヘッド打撃面には上記パターヘッドの上面の一部を打撃方向側に開放するための切開部が形成され、上記貫通孔の周辺領域に結合部が形成され、
上記打撃部材は、両方外側面又は片方外側面に打撃面が形成され、底面には上記結合部と嵌合されるための結合溝が下向きに開放されるように形成され、上記結合溝の底面にはねじ締結溝が形成されて、上記打撃面が上記切開部を通して上記ヘッド打撃面よりもさらに突出されるか上記ヘッド打撃面と一致するように上記結合溝に結合部が挿入されて互いに結合された状態で上記締結ボルトが上記貫通孔を通して上記ねじ締結溝に締結されて上記打撃部材が上記パターヘッドに取り替え可能に結合され、
上記打撃部材には、
上記打撃面の全体又は打撃面のうち正打点に該当する領域の面においてゴルフボールを打撃したときに打撃音が発生するように打撃音発生溝が形成されることを特徴とする
可変型ゴルフパター。
【請求項１４】
シャフトの下端部と結合されるためのシャフト結合孔とヘッド打撃面を有するパターヘッドと、上記パターヘッドに選択的に結合される打撃部材とを含み、
上記パターヘッドには、締結ボルトが底面から上向きに貫通するための貫通孔が段差状に形成され、上記貫通孔に対応する上記ヘッド打撃面には上記パターヘッドの上面の一部を打撃方向側に開放するための切開部が形成され、上記貫通孔の周辺領域に結合部が形成され、
上記打撃部材は、両方外側面又は片方外側面に打撃面が形成され、底面には上記結合部と嵌合されるための結合溝が下向きに開放されるように形成され、上記結合溝の底面にはねじ締結溝が形成され、上記打撃面が上記切開部を通して上記ヘッド打撃面よりもさらに突出されるか上記ヘッド打撃面と一致するように上記結合溝に結合部が挿入されて互いに結合された状態で上記締結ボルトが上記貫通孔を通して上記ねじ締結溝に締結されて上記打撃部材が上記パターヘッドに取り替え可能に結合されることを特徴とする
可変型ゴルフパター。
【請求項１５】
上記打撃音発生溝は、
上記打撃面に該当する領域又は上記打撃面の正打点に該当する領域において上記打撃部材の底面方向、側面方向、上面方向又は上記結合溝方向に開口されることを特徴とする
請求項１３に記載の可変型ゴルフパター。
【請求項１６】
上記打撃音発生溝には、
上記打撃部材とは異なる材質の金属材又は合成樹脂材が充填されるか、嵌合されるか、インサート射出成形によって上記打撃部材と一体化されることを特徴とする
請求項１５に記載の可変型ゴルフパター。
【請求項１７】
上記打撃部材は、球形、半球形又は多角形と球形が結合された形状からなり、外周面には打撃方向を表示するための標識が多数個の溝又はラインからなり形成されることを特徴とする
請求項１３又は１４に記載の可変型ゴルフパター。
【請求項１８】
上記打撃部材の上面には、
装飾のための装飾部材が備えられ、上記装飾部材の一部が嵌合されるか、上記装飾部材に備えられた締結部が上記打撃部材の上面に形成されたねじ孔に締結されて結合されることを特徴とする
請求項１３又は１４に記載の可変型ゴルフパター。
【請求項１９】
上記パターヘッドのシャフト結合孔は、
右利き又は左利きの人が選択的に上記シャフトを結合して使用できるように上記パターヘッドの両側にそれぞれ形成されることを特徴とする
請求項１３又は１４に記載の可変型ゴルフパター。
【請求項２０】
上記打撃部材が球形、半球形又は多角形と球形が結合された形状からなり上記打撃面が外周縁に形成され、上記打撃部材の中心と打撃位置との間の距離があらかじめ設定された場合に、上記打撃される面の面積を大きく又は小さく形成できるように、上記打撃面には半球形の補助具が突出形成され、上記補助具に補助打撃面が形成されることを特徴とする
請求項１３又は１４に記載の可変型ゴルフパター。
【発明の詳細な説明】
【技術分野】
【０００１】
本発明は、可変型ゴルフパターに関し、より詳しくは、パターの打撃面を取り替えて使用できるばかりか、多様な打撃感を提供することができることにより、パッティンググリーンに置かれたゴルフボールをホールに正確に入れるためのパッティング練習を効率的にすることができる可変型ゴルフパターに関する。
【背景技術】
【０００２】
一般的にパターとは、パット用アイアンクラブで、グリーン上で直接ホールに向かってボールを打撃するときに使用する器具のことであり、パッティングとは、パターでボールを打撃する行為を言う。
【０００３】
上記パッティングを成功させるためには、パッティング方向や距離感も重要であるが、何よりも最も基本的に要求されることは正しいパッティング姿勢であり、これを覚えるためには長期間にわたる数多くの練習を通してその感覚を養わなければならない。
【０００４】
このとき、上記の正しいパッティング姿勢とは、スイングをするときにグリップを握っている両手がゴルファーの頭を中心として振子運動し、その振子運動の最低点でパターのヘッドが球をインパクトすることを言い、上記のような姿勢で打撃して始めて球を所望の位置に転がすことができるのである。
【０００５】
よって、スイングのとき、手首が曲がったり体がぶれたりすると正確な振子運動にならないため、不適切な位置で球がインパクトされて球が所望の位置に転がらないことになる。
【０００６】
このような問題点を解消するための方案として、練習用パターでパッティング練習をすることにより多少解消されることができる。
【０００７】
先行技術として、韓国登録実用新案第２０−０３５０４６２号（公告日：２００４．０５．１３）には、ゴルフ練習用パターが開示されている。
【０００８】
図１に示されているように、先行技術によるゴルフ練習用パター１は、パターヘッド２の前側センターにゴルフボール３を正打で打つための三角形や半円形の打撃突起２Ａを形成したものである。このようなゴルフ練習用パター１は、半円形の打撃突起２Ａを用いてゴルフボール３を正打で打つ練習ができるという長所があった。
【０００９】
しかし、このようなパター１はパターヘッド２と打撃突起２Ａとが一体形成されることにより、多様な構造の打撃突起２Ａを適用することができないという問題点があった。
【００１０】
他の先行技術として、韓国登録実用新案第２０−０３９５８３５号（公告日：２００５．０９．１４）にはゴルフパター用パッティング練習具が開示されている。図２に示されているように、中間部が幅の最も広い打撃部１Ａとして形成され、上面にはセンター線１０１が表示されたパッティング具１の両側には固定板１'、１”を形成し、固定板１'、１”をパターヘッド２に接触させてゴムひも３で固定させることができるように構成されたものである。このような構造のパッティング練習具は、パッティング具１が取り替え可能に構成されている。しかし、パッティング具１をゴムひも３で結合するように構成されるため、堅固な結合力を維持することができないという問題点があった。
【００１１】
また、上述のそれぞれの先行技術は、パターヘッドが同一の材質、同一の形状からなることにより、多様な打撃感を覚えることができないという問題点があった。
【発明の概要】
【発明が解決しようとする課題】
【００１２】
本発明の目的は、多様な打撃面を使用することができ、多様な打撃感を提供することができる可変型ゴルフパターを提供することにある。
【００１３】
また、本発明が解決しようとする課題は、上で言及した技術的課題に制限されることなく、言及されていない他の技術的課題は、下の記載から本発明の属する技術分野における通常の知識を有する者に明確に理解されることができるはずである。
【課題を解決するための手段】
【００１４】
上記目的は、本発明によって、シャフトの下端部に結合され、ヘッド打撃面を有するパターヘッドと、上記パターヘッドに選択的に結合される打撃部材とを含み、上記パターヘッドには、締結ボルトが底面から上向きに貫通するための貫通孔が段差状に形成され、上記貫通孔に対応する上記ヘッド打撃面には上記パターヘッドの上面の一部を打撃方向側に開放するための切開部が形成され、上記打撃部材は、ゴルフボール状に形成され外周面に打撃面が形成され、上記上面に装着されるように上記上面の縁に支持される装着面と支持面が底面に段差状に形成され、上記装着面には上記締結ボルトが締結されて結合されるためのねじ締結溝が形成され、上記打撃面の一部が上記切開部を通して上記ヘッド打撃面よりもさらに突出されるように上記上面に装着された状態で上記締結ボルトにより上記パターヘッドに取り替え可能に結合され、上記打撃部材の打撃面は、ゴルフボールと同じ曲率からなる球面打撃面又は平面からなる平面打撃面からなり、上記平面打撃面からなる場合、上記打撃部材は上記平面打撃面の面積大きさ別に多数個備えられ選択的に上記パターヘッドに結合されることを特徴とする可変型ゴルフパターによって達成される。
【００１５】
上記目的は、本発明によって、シャフトの下端部に結合され、ヘッド打撃面を有するパターヘッドと、上記パターヘッドに選択的に結合される打撃部材とを含み、上記パターヘッドには、締結ボルトが底面から上向きに貫通するための貫通孔が段差状に形成され、上記貫通孔に対応する上記ヘッド打撃面には上記パターヘッドの上面の一部を打撃方向側に開放するための切開部が形成され、上記貫通孔が形成された上面には３〜８角形の結合突起が上向きに突出され、上記打撃部材は、ゴルフボール状又は多角形に形成され相異なる形状と相異なる大きさの打撃面が外側面にそれぞれ形成され、底面には上記上面に装着されるための装着面が形成され、上記装着面には上記上面に装着されるときに上記結合突起が挿入されて結合され、上記打撃面と同じ方向を有する結合面が形成されるように３〜８角形からなる結合溝が上記締結ボルトが締結されて結合されるためのねじ締結溝を備えて形成され、上記打撃面のうち選択された打撃面が上記切開部から露出するように上記打撃部材の方向を設定して上記結合溝に上記結合突起を結合させ、上記締結ボルトを上記貫通孔を通して上記結合溝のねじ締結溝に締結して結合し、上記打撃部材の打撃面は、ゴルフボールと同じ曲率からなる球面打撃面又は平面からなる平面打撃面からなり、上記平面打撃面からなる場合、上記打撃部材は上記平面打撃面の面積大きさ別に多数個備えられ選択的に上記パターヘッドに結合されることを特徴とする可変型ゴルフパターによって達成される。
【００１６】
上記球面打撃面又は平面打撃面には、上記打撃部材と異なる材質の打撃材が一体化されるように備えられ、上記打撃材は、上記球面打撃面又は平面打撃面に形成される打撃材用溝に満たされるかインサート射出成形によって上記打撃部材と一体化されることができる。
【００１７】
上記シャフトの下端部は多角形に形成され、上記パターヘッドには上記シャフトの下端部が結合されるための多角形の結合部が左利き又は右利きの人が選択して使用するように両側にそれぞれ形成され、上記多角形の結合部は相互結合される角度を調節するように上記シャフトの下端部が上記結合部に嵌められた状態で上記パターヘッドの底面から締結されるボルトによって結合されることができる。
【００１８】
上記打撃部材の結合溝の周りには厚さ調節溝が形成され、上記結合面を基準として上記打撃面の厚さが相異なるように形成されるように、上記厚さ調節溝の幅は相異なるように形成されることができる。
【００１９】
上記目的は、本発明によって、シャフトの下端部と一端が結合され水平方向に延びる結合部材を備えたパターヘッドと、ゴルフボールを打撃するための打撃面が一側に形成され、反対側には球面又は平面からなる練習打撃面が形成され、上記パターヘッドの結合部材に結合される打撃部材とを含み、上記打撃部材は、一体に形成されるか、上記打撃面と練習打撃面を選択するように大きさと形状が相異なる２乃至５個に分割形成されて上記パターヘッドに結合され、上記シャフトの下端部は多角形に形成され、上記パターヘッドには上記シャフトの下端部が結合されるための多角形の結合部が形成され、相互結合される角度を調節するように上記シャフトの下端部が上記結合部に嵌められた状態で上記パターヘッドの底面から締結されるボルトによって結合されることを特徴とする可変型ゴルフパターによって達成されることができる。
【００２０】
上記打撃面及び練習打撃面には、上記打撃部材と異なる材質の打撃材が一体化されるように備えられ、上記打撃材は、上記打撃面及び練習打撃面に形成される打撃材用溝に満たされるかインサート射出成形によって上記打撃部材と一体化されることができる。
【００２１】
上記打撃部材が分割形成される場合、分割形成されたそれぞれの上記打撃部材は相異なる材質で形成されることができる。
【００２２】
上記練習打撃面が球面からなる場合、上記練習打撃面には上記打撃部材の外周面の曲率よりも小さい曲率を有する球面打撃部が形成され、上記球面打撃部には球面打撃面が形成されることができる。
【００２３】
上記目的は、本発明によって、シャフトの下端部に結合されるパターヘッドを含み、上記パターヘッドは、ゴルフボール状を有する球形からなり上記シャフトの下端部が結合される第１打撃部材と、ゴルフボール状を有する球形からなり上記第１打撃部材と一直線上に位置するように上記第１打撃部材の側面に水平方向に結合される第２打撃部材と、ゴルフボール状を有する球形からなり上記第１打撃部材及び第２打撃部材と一直線上に位置するように上記第２打撃部材の側面に水平方向に結合される第３打撃部材；及び、上記第１打撃部材と第２打撃部材及び第３打撃部材を貫通した一端にナットが締結され他端にシャフトが締結されて上記第１打撃部材と第２打撃部材及び第３打撃部材を一体化させるための結合ロッドを含んで構成され、上記第１打撃部材と第２打撃部材及び第３打撃部材には、ゴルフボールと同じ曲率からなる球面打撃面及び平面からなる平面打撃面がそれぞれ形成され、上記平面打撃面は大きさが相異なるようにそれぞれ形成され、上記第１打撃部材と第２打撃部材及び第３打撃部材は、相異なる材質からなり、上記球面打撃面及び平面打撃面には、上記第１打撃部材と第２打撃部材及び第３打撃部材と異なる材質の打撃材が一体化されるように備えられ、上記打撃材は、上記球面打撃面及び平面打撃面に形成される打撃材用溝に満たされるかインサート射出成形によって上記打撃部材と一体化されることを特徴とする可変型ゴルフパターによって達成される。
【００２４】
上記第１打撃部材と第３打撃部材と対向する上記第２打撃部材の両側面及び上記第１打撃部材と第３打撃部材には、上記第２打撃部材と第３打撃部材の位置を変更したり、それぞれの球面打撃面及び平面打撃面を選択したり、右利きと左利きによって打撃面を変更可能にするための位置変更手段が設けられ、上記位置変更手段は、所定の長さを有する多角形の連結結合部材；及び、上記連結結合部材が嵌合されるように上記第１打撃部材と第２打撃部材及び第３打撃部材の両側面に形成される多角形の位置決定溝からなることができる。
【００２５】
上記目的は、本発明によって、シャフトの下端部と一端が結合され、ゴルフボールを打撃するための打撃面が一側に形成され、反対側には球面又は平面からなる練習打撃面が形成される打撃部材を含み、上記シャフトの下端部は多角形に形成され、上記打撃部材には上記シャフトの下端部が結合されるための多角形の結合部が形成され、相互結合される角度を調節するように上記シャフトの下端部が上記結合部に嵌められた状態で上記打撃部材の底面から締結されるボルトによって結合されることを特徴とする可変型ゴルフパターによって達成される。
【００２６】
上記目的は、本発明によって、シャフトの下端部と結合されるためのシャフト結合孔とヘッド打撃面を有するパターヘッドと、上記パターヘッドに選択的に結合される打撃部材とを含み、上記パターヘッドには、締結ボルトが底面から上向きに貫通するための貫通孔が段差状に形成され、上記貫通孔に対応する上記ヘッド打撃面には上記パターヘッドの上面の一部を打撃方向側に開放するための切開部が形成され、上記貫通孔の周辺領域に結合部が形成され、上記打撃部材は、両方外側面又は片方外側面に打撃面が形成され、底面には上記結合部と嵌合されるための結合溝が下向きに開放されるように形成され、上記結合溝の底面にはねじ締結溝が形成されて、上記打撃面が上記切開部を通して上記ヘッド打撃面よりもさらに突出されるか上記ヘッド打撃面と一致するように上記結合溝に結合部が挿入されて互いに結合された状態で上記締結ボルトが上記貫通孔を通して上記ねじ締結溝に締結されて上記打撃部材が上記パターヘッドに取り替え可能に結合され、上記打撃部材には、上記打撃面の全体又は打撃面のうち正打点に該当する領域の面でゴルフボールを打撃したときに打撃音が発生するように打撃音発生溝が形成されることを特徴とする可変型ゴルフパターによって達成される。
【００２７】
上記打撃音発生溝は、上記打撃面に該当する領域又は上記打撃面の正打点に該当する領域において上記打撃部材の底面方向、側面方向、上面方向又は上記結合溝方向に開口されることができる。
【００２８】
上記打撃音発生溝には、上記打撃部材とは異なる材質の金属材又は合成樹脂材が充填されるか、嵌合されるか、インサート射出成形によって上記打撃部材と一体化されることができる。
【００２９】
上記打撃部材は、球形、半球形又は多角形と球形が結合された形状からなり、外周面には打撃方向を表示するための標識が多数個の溝又はラインからなり形成されることができる。
【００３０】
上記打撃部材の上面には、装飾のための装飾部材が備えられ、上記装飾部材の一部が嵌合されるか、上記装飾部材に備えられた締結部が上記打撃部材の上面に形成されたねじ孔に締結されて結合されることができる。
【００３１】
上記パターヘッドのシャフト結合孔は、右利き又は左利きの人が選択的に上記シャフトを結合して使用できるように上記パターヘッドの両側にそれぞれ形成されることができる。
【００３２】
上記打撃部材が球形、半球形又は多角形と球形が結合された形状からなり上記打撃面が外周縁に形成され、上記打撃部材の中心と打撃位置との間の距離があらかじめ設定された場合に上記打撃される面の面積を大きく又は小さく形成できるように、上記打撃面には半球形の補助具が突出形成され、上記補助具に補助打撃面が形成されることができる。
【発明の効果】
【００３３】
本発明によれば、打撃部材に多様な打撃面が備えられることにより、多様な形態でパッティング及びパッティング練習をすることができ、打撃部材に異種材質の打撃材が一体化されることにより、多様な打撃感を提供することができ、よって、パッティング練習を効率的に行えるという効果を提供することができるようになる。
【００３４】
また、打撃部材に打撃音発生溝が形成され、ゴルフボールを打撃面の正打点で打撃したときに軽快な打撃音が発生されるようにすることにより、正確な打撃であることを容易に認知することができるようになる。
【図面の簡単な説明】
【００３５】
【図１】従来技術による練習用ゴルフパターを示した図面である。
【図２】従来技術による練習用ゴルフパターを示した図面である。
【図３】本発明の第１実施例による可変型ゴルフパターを示した分解斜視図である。
【図４】図３に示されている打撃部材の他の実施例を示した斜視図である。
【図５】図３に示されている打撃部材の他の実施例を示した斜視図である。
【図６】図３に示されている打撃部材の他の実施例を示した斜視図である。
【図７】図３に示されている練習用ゴルフパターの結合状態を示した断面図である。
【図８】図３に示されている練習用ゴルフパターの使用状態を示した平面図である。
【図９】本発明の第２実施例による可変型ゴルフパターを示した図面である。
【図１０】本発明の第２実施例による可変型ゴルフパターを示した図面である。
【図１１】本発明の第２実施例による可変型ゴルフパターを示した図面である。
【図１２】本発明の第２実施例による可変型ゴルフパターを示した図面である。
【図１３】図７乃至図１２に示されている可変型ゴルフパターの使用状態を示した概略的平面図である。
【図１４】本発明の第３実施例による可変型ゴルフパターを示した斜視図である。
【図１５】本発明の第４実施例による可変型ゴルフパターを示した分解斜視図である。
【図１６】図１５に示されている可変型ゴルフパターを示した結合状態断面図である。
【図１７】図１５に示されている可変型ゴルフパターの他の実施例を示した分解斜視図である。
【図１８】図１７に示されている打撃部材の他の実施例を示した図面である。
【図１９】図１７に示されている打撃部材の他の実施例を示した図面である。
【図２０】図１７に示されている打撃部材の他の実施例を示した図面である。
【図２１】本発明の第５実施例による可変型ゴルフパターを示した分解斜視図である。
【図２２】図２１に示されている可変型ゴルフパターの結合状態断面図である。
【図２３】図２１に示されている可変型ゴルフパターの使用状態を示した平面図である。
【図２４】図２１に示されている可変型ゴルフパターの使用状態を示した平面図である。
【図２５】本発明の第６実施例による可変型ゴルフパターを示した分解斜視図である。
【図２６】図２５に示されている可変型ゴルフパターを示した結合状態斜視図である。
【図２７】図２６の断面図である。
【図２８】図２６に示されている打撃部材を示した底面図である。
【発明を実施するための形態】
【００３６】
本発明は、シャフトの下端部に結合され、ヘッド打撃面を有するパターヘッドと、上記パターヘッドに選択的に結合される打撃部材とを含み、上記パターヘッドには、締結ボルトが底面から上向きに貫通するための貫通孔が段差状に形成され、上記貫通孔に対応する上記ヘッド打撃面には上記パターヘッドの上面の一部を打撃方向側に開放するための切開部が形成され、上記打撃部材は、ゴルフボール状に形成され外周面に打撃面が形成され、上記上面に装着されるように上記上面の縁に支持される装着面と支持面が底面に段差状に形成され、上記装着面には上記締結ボルトが締結されて結合されるためのねじ締結溝が形成され、上記打撃面の一部が上記切開部を通して上記ヘッド打撃面よりもさらに突出されるように上記上面に装着された状態で上記締結ボルトにより上記パターヘッドに取り替え可能に結合され、上記打撃部材の打撃面は、ゴルフボールと同じ曲率からなる球面打撃面又は平面からなる平面打撃面からなり、上記平面打撃面からなる場合、上記打撃部材は上記平面打撃面の面積大きさ別に多数個備えられ選択的に上記パターヘッドに結合される。よって、使用者は、打撃面を選択してから打撃部材をパターヘッドに結合させて多様な打撃感の提供を受けることができる。
【００３７】
以下、添付図面を参照して本発明の望ましい実施例を詳しく説明すると、次の通りである。ただし、本発明を説明するにあたって、既に公知の機能或いは構成に関する説明は、本発明の要旨を明瞭にするために省略することにする。
【００３８】
添付図面のうち、図３は、本発明の第１実施例による可変型ゴルフパターを示した分解斜視図であり、図４、図５、図６は、図３に示されている打撃部材の他の実施例を示した斜視図であり、図７は、図３に示されている練習用ゴルフパターの結合状態を示した断面図である。そして、図８は、図３に示されている練習用ゴルフパターの使用状態を示した平面図である。
【００３９】
図３乃至図８に示されているように、本発明の第１実施例による可変型ゴルフパターは、パターヘッド２０と、このパターヘッド２０に選択的に結合される打撃部材３０とを含んで構成される。
【００４０】
パターヘッド２０は、シャフト１０の下端部１２に結合され、打撃方向側にヘッド打撃面２４が形成される。
【００４１】
パターヘッド２０には締結ボルト４０が底面から上向きに貫通するための貫通孔２２が段差状に形成され、貫通孔２２に対応するヘッド打撃面２４の中央領域にはパターヘッド２０の上面２３の一部を打撃方向側に開放するための切開部２６が形成される。
【００４２】
打撃部材３０はゴルフボール状の球形に形成され外周面に打撃面３４が形成される。打撃部材３０の底面にはパターヘッド２０の上面２３に装着されるように上面２３の縁に支持される装着面３２と支持面３２Ａが段差状に形成される。装着面３２には締結ボルト４０が締結されて結合されるためのねじ締結溝３２Ｂが形成される。
【００４３】
打撃部材３０の打撃面３４の一部が切開部２６を通してヘッド打撃面２４よりもさらに突出されるように上面２３に装着された状態で締結ボルト４０によってパターヘッド２０に取り替え可能に結合される。
【００４４】
打撃部材３０の打撃面３４は、ゴルフボールと同じ曲率からなる球面打撃面３４Ａ又は平面からなる平面打撃面３４Ｂからなる。平面打撃面３４Ｂからなる場合、打撃部材３０は平面打撃面３４Ｂの面積大きさ別に多数個備えられ選択的にパターヘッド２０に結合される。球面打撃面３４Ａ又は平面打撃面３４Ｂには、打撃部材３０と異なる材質の打撃材３９が一体化されるように備えられる。
【００４５】
これをより具体的に説明する。
【００４６】
パターヘッド２０には、締結ボルト４０が底面から上向きに貫通するための貫通孔２２が段差状に形成される。この貫通孔２２に対応する、すなわち貫通孔２２が形成された領域に該当するヘッド打撃面２４の中央領域には、図３に示されているように、パターヘッド２０の上面２３の一部を打撃方向側に開放するための切開部２６が形成される。この切開部２６は、打撃部材３０がパターヘッド２０の上面２３に結合されたとき、打撃面３４の一部が前方側（打撃方向）に露出するようにするためのものである。
【００４７】
上述の貫通孔２２が段差状に形成されたのは、締結ボルト４０が貫通孔２２を通して打撃部材３０に結合されたとき、締結ボルト４０の頭部がパターヘッド２０の底面から突出しないようにするためである。このような貫通孔２２と切開部２６は、パターヘッド２０の中間（中央領域）に形成されることが望ましい。
【００４８】
打撃部材３０は、パターヘッド２０に選択的に結合又は分離されるように構成される。打撃部材３０は、図３に示されているように、ゴルフボールと同じ形状、ゴルフボールと同じか類似の大きさに形成される。打撃部材３０の外周面には球面又は平面状の打撃面３４が形成される。打撃部材３０の底面にはパターヘッド２０の上面２３に装着される装着面３２が形成され、装着面３２の一側には装着面３２が上面２３に装着されるときに上面２３の縁２３Ａに支持されるための支持面３２Ａが段差状に形成される。このような構造は、支持面３２Ａにより、打撃面３４でゴルフボールを打撃したときに発生する衝撃を安定的に支持するためのものである。そして、装着面３２には締結ボルト４０が締結されて結合されるためのねじ締結溝３２Ｂが雌ねじ山を備えて形成される。
【００４９】
このように構成された打撃部材３０は、打撃面３４の一部が切開部２６を通してヘッド打撃面２４よりもさらに突出されるように上面２３に装着された状態で締結ボルト４０によってパターヘッド２０に取り替え可能に結合されるのである。そして、締結ボルト４０がパターヘッド２０の底面から貫通孔２２を通してねじ締結溝３２Ｂに締結されても、締結ボルト４０の頭部が段差状の貫通孔２２に装着されるためパターヘッド２０の底面から突出しない。
【００５０】
打撃部材３０の打撃面３４は、ゴルフボールと同じ曲率からなる球面打撃面３４Ａ又は平面からなる平面打撃面３４Ｂからなる。平面打撃面３４Ｂからなる場合、打撃部材３０は平面打撃面３４Ｂの大きさ別に多数個備えられることが望ましい。すなわち、大きさが相異なる平面打撃面３４Ｂを有する多数個の打撃部材３０が備えられれば、使用者は所望の大きさの平面打撃面３４Ｂを有する打撃部材３０を選択しパターヘッド２０に結合して使用することができるのである。
【００５１】
打撃部材３０の球面打撃面３４Ａ又は平面打撃面３４Ｂには、打撃部材３０と異なる材質の打撃材３９が一体化されるように備えられる。すなわち、図５、図６及び図７に示されているように、球面打撃面３４Ａ又は平面打撃面３４Ｂに打撃材用溝３１が一定深さに多数個形成され、この打撃材用溝３１に打撃部材３０と異なる材質の打撃材３８が満たされて一体化されるか、インサート射出成形によって打撃部材３０と一体化される。例えば、打撃部材３０が鉄からなる場合、打撃材用溝３１に銅、アルミニウムのように鉄とは異なる材質の金属材が満たされるかインサート射出成形によって一体化される。
【００５２】
このように、球面打撃面３４Ａ又は平面打撃面３４Ｂに打撃材用溝３１が形成され、この打撃材用溝３１に打撃部材３０とは異なる材質の打撃材３９が一体化されるように備えられることにより、ゴルフパッティングをする使用者に多様な打撃感及び打撃音を提供することができる。
【００５３】
本実施例では打撃材３９を打撃材用溝３１に満たすかインサート射出成形によって打撃部材３０と一体化させたが、これに限られるものではない。図１９に示されているように、打撃材用溝３１の底から突起３１−１を突出させ、これら突起３１−１の間、すなわち打撃材用溝３１に打撃材３９を満たして一体化しても、インサート射出成形によって一体化してもよい。
【００５４】
一方、本実施例による可変型ゴルフパターは、シャフト１０の下端部１２が多角形に形成され、パターヘッド２０にはシャフト１０の下端部１２が結合されるための多角形の結合部２１が形成された構造を有する。このとき、下端部１２と結合部２１は、多角形ではない鋸歯構造（スプライン結合）で形成されて相互結合されることができる。そして、相互結合される角度を調節するようにシャフト１０の下端部１２が結合部２１に嵌められた状態でパターヘッド２０の底面又は結合部２１が形成された上端部の側面を通して下端部１２に締結されるボルト（図示せず）によって結合される。もちろん、下端部１２が結合部２１に嵌められた状態で別途の固定手段によって互いに堅固に結合されることもできる。
【００５５】
このように、シャフト１０の下端部１２と結合部２１が多角形又は鋸歯構造で形成されることにより、図８に示されているように、シャフト１０を基準として打撃部材３０が結合されたパターヘッド２０の結合角度を調節することができるようになる。もし、下端部１２と結合部２１が微細な鋸歯構造を有するならば、パターヘッド２０はより微細な角度で調節することができる。
【００５６】
このように構成された本発明の第１実施例による可変型ゴルフパターの作用を説明することにする。
【００５７】
使用者は、それぞれ異なる打撃面３４、例えば、球面打撃面３４Ａを有する打撃部材３０を選択してパターヘッド２０の上面２３に結合するか、平面打撃面３４Ｂを有する打撃部材３０を選択してパターヘッド２０の上面２３に結合する。すなわち、使用者は自身の所望する打撃面３４を有する打撃部材３０を選択し締結ボルト４０を用いてパターヘッド２０に結合する。
【００５８】
次いで、打撃部材３０がパターヘッド２０に結合されたら、打撃面３４は切開部２６を通してパターヘッド２０の打撃面２４よりもさらに打撃方向側に突出されるため、使用者は、図８に示されているように打撃部材３０でゴルフボールを打撃するパッティング練習を行うことができる。
【００５９】
そして、使用者は、球面打撃面３４Ａを有する打撃部材３０をパターヘッド２０に結合するか、平面打撃面３４Ｂを有する打撃部材３０を選択してパターヘッド２０に結合して使用できることにより、多様な打撃面でパッティング練習を効率的に行うことができるようになる。
【００６０】
また、打撃部材３０の装着面３２がパターヘッド２０の上面２３に装着され支持面３２Ａが上面２３の縁に支持され締結ボルト４０が貫通孔２２を通して結合溝３２Ｂに締結されるため、打撃部材３０とパターヘッド２０が堅固な結合状態を維持することになる。そして、パッティング練習時、打撃部材３０が流動しなくなるばかりか、支持面３２Ａが上面２３の縁２３Ａに支持されるため、ゴルフボールの打撃時に打撃部材３０が流動することなく安定した打撃が可能になる。
【００６１】
特に、打撃面３４に打撃部材３０とは異なる材質の打撃材３９が一体化されて備えられることにより、使用者に多様な打撃感及び打撃音を提供することができるようになる。
【００６２】
添付図面のうち、図９乃至図１２は、本発明の第２実施例による可変型ゴルフパターを示した図面である。図１３は、図９乃至図１２に示されている可変型ゴルフパターの使用状態を示した概略的平面図である。
【００６３】
図９乃至図１３に示されているように、第２実施例による可変型ゴルフパターは、シャフト１０の下端部１２に結合され、ヘッド打撃面２４を有するパターヘッド２０と、パターヘッド２０に選択的に結合される打撃部材３０とを含む。パターヘッド２０には、締結ボルト４０が底面から上向きに貫通するための貫通孔２２が段差状に形成される。貫通孔２２に対応する、すなわち貫通孔２２が形成された領域に該当するヘッド打撃面２４の中央領域にはパターヘッド２０の上面２３の一部を打撃方向側に開放するための切開部２６が形成される。貫通孔２２が形成された上面２３には３〜８角形の結合突起２７が上向きに突出される。
【００６４】
打撃部材３０は、ゴルフボール状又は多角形に形成され、相異なる形状と相異なる大きさの打撃面３４が外側面にそれぞれ形成される。底面には上面２３に装着されるための装着面３２が形成される。装着面３２には、上面２３に装着されるときに結合突起２７が挿入されて結合され、打撃面３４と同じ方向を有する結合面３２Ｃ−１が形成されるように３〜８角形からなる結合溝３２Ｃが形成される。結合溝３２Ｃには、結合突起２７が挿入されたときに締結ボルト４０が締結されて結合されるためのねじ締結溝３２Ｂが形成される。
【００６５】
打撃部材３０は、打撃面３４のうち選択した打撃面３４が切開部２６から露出するように打撃部材３０の方向を設定し結合溝３２Ｃに結合突起２７を挿入して結合させ、締結ボルト４０を貫通孔２２に通過させて結合溝３２Ｃのねじ締結溝３２Ｂに締結する。この過程で打撃部材３０はパターヘッド２０に結合される。
【００６６】
そして、打撃部材３０の打撃面３４は、ゴルフボールと同じ曲率からなる球面打撃面３４Ａ又は平面からなる平面打撃面３４Ｂからなる。平面打撃面３４Ｂからなる場合、打撃部材３０は平面打撃面３４Ｂの大きさ別に多数個備えられ選択的にパターヘッド２０に結合される。球面打撃面３４Ａ又は平面打撃面３４Ｂには、打撃部材３０と異なる材質の打撃材３９が一体化されるように備えられることを除いては上述の実施例と同じである。
【００６７】
このとき、結合突起２７は、本実施例で４角形に形成されることを基準として説明するが、これに限られるものではなく、３乃至８角形に形成されることができる。
【００６８】
このように、パターヘッド２０に結合突起２７が形成され、打撃部材３０に結合溝３２Ｃが形成されて打撃部材３０が結合突起２７により結合されることで、より安定的にパターヘッド２０と結合状態を維持することができるようになる。
【００６９】
そして、使用者が打撃部材３０の球面打撃面３４Ａや平面打撃面３４Ｂのうち球面打撃面３４Ａを選択した場合、球面打撃面３４Ａが切開部２６側に露出するように、球面打撃面３４Ａと一致する結合溝３２Ｃの結合面３２Ｃ−１が切開部２６側に向かうように上記打撃部材３０の結合溝３２Ｃに結合突起２７を挿入した後、締結ボルト４０により締結して堅固に結合することができ、打撃面３４を選択することができるようになる。
【００７０】
再び説明すれば、多数の打撃面３４が形成された打撃部材３０には、各打撃面３４と同じ方向を有する多数の結合面３２Ｃ−１を備えた多角形の結合溝３２Ｃが形成され、パターヘッド２０の上面２３には多角形の結合突起２７が形成されるため、使用者が多数の打撃面３４のうち所望の打撃面３４を選択した後、選択した打撃面３４が切開部２６から露出するように、選択した打撃面３４と一致する結合面３２Ｃ−１が切開部２６の方向に向かうように結合突起２７を結合溝３２Ｃに結合することができる。よって、使用者は選択した打撃面３４を用いて打撃練習をすることができる。
【００７１】
このように一つの打撃部材３０に多数の打撃面３４が形成され、各打撃面３４を単純な構造で選択して使用できるように構成されることにより、使用者に多様な形態及び大きさの打撃面３４を選択して使用できる効果を提供することができるようになる。
【００７２】
また、打撃面３４の大きさを選択して打撃部材３０をパターヘッド２０に結合できることにより、多様な打撃感覚を覚えることができるようになる。
【００７３】
一方、打撃面３４に打撃材用溝３１が形成され、この打撃材用溝３１に打撃部材３０と異なる材質の打撃材３９が上述の実施例のように一体化されるように備えられることで、使用者が打撃を行うとき、一種類の材質からのみなる打撃部材３０で打撃するのとは異なる打撃感及び打撃音を提供することができるようになる。
【００７４】
添付図面のうち、図１１及び図１３には、図９、図１０に示されている本発明の第３実施例による可変型ゴルフパターの他の実施例が示されている。
【００７５】
図９及び図１３に示されているように、他の実施例による打撃部材３０は、打撃面３４の厚さを相異なるようにするための厚さ調節溝３７が結合溝３２Ｃの周辺に形成されたことを除いては上述の実施例と同じである。すなわち、打撃部材３０の結合溝３２Ｃの周りには厚さ調節溝３７が形成され、結合面３２Ｃ−１を基準として打撃面３４の厚さが相異なるように形成されるように厚さ調節溝３７の幅Ｗは相異なるように形成される。ここで、打撃面３４の厚さは、結合面３２Ｃ−１と打撃面３４との間の厚さを意味する。
【００７６】
このように、厚さ調節溝３７の幅Ｗを相異なるように形成して打撃面３４の厚さを相異なるようにすることにより、打撃面３４を選択してゴルフボールを打撃するとき、打撃面３４の厚さによって多様な打撃感及び打撃音を提供することができるようになる。
【００７７】
添付図面のうち図１２には、図３乃至図９に示されている本発明の第１実施例乃至第３実施例による可変型ゴルフパターのまた他の実施例が示されている。図１２に示されているように、可変型ゴルフパターは、パターヘッド２０の中央に打撃方向側と上向きに開口された装着溝２５が貫通孔２２を備えて形成される。この装着溝２５には、相異なる形状と模様及び大きさの打撃面３４を有する打撃部材３０が挿入されて装着された状態で底面から貫通孔２２を通して打撃部材３０の底面に締結される締結ボルト４０によりパターヘッド２０と一体化されることを除いては上述の実施例と同じである。このとき、装着溝２５の形状は、打撃部材３０の形状と同一に形成され、打撃部材３０を挿入して安定的に装着させることができるようにする。
【００７８】
このように打撃部材３０がパターヘッド２０の装着溝２５に挿入された締結ボルト４０により締結されて結合されることにより、打撃部材３０とパターヘッド２０の結合状態が安定的に維持されることができる。
【００７９】
添付図面のうち、図１４は、本発明の第３実施例による可変型ゴルフパターを示した斜視図である。
【００８０】
図１４に示されているように、第３実施例による可変型ゴルフパターは、シャフト１０の下端部１２と一端が結合され、ゴルフボールを打撃するための打撃面３４が一側に形成され、反対側には球面又は平面からなる練習打撃面３４-１が形成される打撃部材３０を含んで構成されることを除いては上述の実施例と同じである。すなわち、第３実施例による可変型ゴルフパターは、シャフト１０の下端部１２が、両側に打撃面３４と練習打撃面３４−１を備えた打撃部材３０の一端に結合される構造を有するものである。
【００８１】
そして、シャフト１０の下端部１２は多角形に形成され、打撃部材３０にはシャフト１０の下端部１２が結合されるための多角形の結合部３３が形成されて、相互結合される角度を調節するようにシャフト１０の下端部１２が結合部３３に嵌められた状態で打撃部材３０の底面から締結されるボルト４０Ａによって締結されて結合されるのである。
【００８２】
一方、図面に示されていないが、打撃面３４や練習打撃面３４−１には上述の打撃材３９が備えられることができる。
【００８３】
このように、打撃部材３０がシャフト１０と直接結合されることにより、別途のパターヘッド２０が不要となり、打撃部材３０の一面に打撃面３４が形成され、反対面に練習打撃面３４−１が形成されることにより、使用者が打撃面３４でゴルフボールを打撃（パッティング）することができ、練習打撃面３４−１で打撃練習をすることができるという利便性が提供されることができる。
【００８４】
添付図面のうち、図１５は、本発明の第４実施例による可変型ゴルフパターを示した分解斜視図であり、図１６は、図１５に示されている可変型ゴルフパターを示した結合状態断面図である。
【００８５】
図１５及び図１６に示されているように、第４実施例による可変型ゴルフパターは、シャフト１０の下端部１２と一端が結合され、水平方向に延びる結合部材２１０を備えたパターヘッド２０と、ゴルフボールを打撃するための打撃面３４が一側に形成され、反対側には球面又は平面からなる練習打撃面３４-１が形成され、パターヘッド２０に結合され、多角形の結合部３３を備えた打撃部材３０とを含む。打撃部材３０は、一体に形成されてパターヘッド２０の結合部材２１０に結合される。そして、シャフト１０の下端部１２は多角形に形成され、打撃部材３０の結合部３３に挿入され、パターヘッド２０に形成された締結ボルト用貫通孔２１Ａに挿入された締結用ボルト４０Ａが結合部３３に嵌められた下端部１２の内径に形成されたねじ孔（図示せず）に締結される。よって、シャフト１０と打撃部材３０及びパターヘッド２０が一体化される。勿論、下端部１２とパターヘッド２０は締結用ボルト４０Ａ以外の他の固定構造によって互いに結合されることができる。
【００８６】
一方、本実施例は下端部１２と結合部３３の結合角度によって打撃部材３０とシャフト１０の相互結合される角度を調節することができる。すなわち、シャフト１０の下端部１２が多角形の結合部３３に挿入される角度を調節した後、パターヘッド２０の底面から下端部１２にボルト４０Ａを締結することにより、シャフト１０との結合角度が決定されるのである。
【００８７】
このような結合構造を除いては上述の実施例と同じである。
【００８８】
このとき、打撃面３４と練習打撃面３４−１には上述のように打撃部材３０と材質が異なる打撃材３９が備えられることができる。
【００８９】
そして、打撃部材３０の底面には結合部材２１０が嵌められるための挿入溝３５が形成され、結合部材２１０が挿入溝３５に挿入された状態で結合部材２１０の底面から締結ボルト４０が貫通して打撃部材３０の挿入溝３５の内部に形成されるねじ孔に締結されることにより、打撃部材３０と結合部材２１０が堅固に結合されることができる。
【００９０】
また、上述のように、打撃部材３０がパターヘッド２０の結合部材２１０に嵌合構造及び締結構造で結合されることにより、多様な形状及び大きさを有する打撃部材３０を選択して使用することができる。そして、打撃部材３０の一面に打撃面３４が形成され、反対面に練習打撃面３４−１が形成されることにより、使用者が打撃面３４でゴルフボールを打撃（パッティング）することができ、練習打撃面３４−１で打撃練習をすることができるという利便性が提供されることができる。
【００９１】
添付図面のうち、図１７は、図１５に示されている可変型ゴルフパターの他の実施例を示した分解斜視図である。
【００９２】
図１７に示されているように、図１５及び図１６に示されている可変型ゴルフパターの他の実施例は、打撃部材３０が打撃面３４と練習打撃面３４−１を選択するように大きさと形状が相異なる２乃至５個に分割形成されて結合部材２１０に結合されることを除いては上述の第４実施例と同じである。このとき、分割構成された各打撃部材３０の底面には結合部材２１０が挿入されて結合されるための挿入溝３５がそれぞれ形成されるのは当然である。
【００９３】
このとき、上述のように打撃部材３０がそれぞれ分割形成される場合、分割形成されたそれぞれの打撃部材３０は、相異なる材質で形成されることができる。このように打撃部材３０が相異なる材質で構成されることにより、使用者は自身が所望する打撃感を提供する材質の打撃部材３０を選択して打撃練習ができる。
【００９４】
図１７に示されているように、打撃部材３０が大きさ及び形状模様が相異なるように個別に区分されて形成されることにより、使用者は好みに合った打撃部材３０を選択して打撃（パッティング）練習をすることができるという利便性が提供されることができる。
【００９５】
一方、図１８、図１９、図２０に示されているように、上述の第４実施例による打撃部材３０は、打撃面３４に打撃部材３０とは異なる材質の打撃材３９が備えられることができる。
【００９６】
例えば、打撃部材３０が鉄で構成されるとしたら、打撃材３９は銅やアルミニウムで構成されることにより、使用者に多様な打撃感を提供することができる。すなわち、打撃面３４と練習打撃面３４−１に打撃材用溝３１が形成され、この打撃材用溝３１に打撃部材３０とは異なる材質の金属材又は硬質の合成樹脂材などが満たされるかインサート射出成形によって一体化される。特に、図１８、図１９に示されているように、打撃面３４に形成された打撃材用溝３１の底から突起３１−１が突出され、これら突起３１−１の間、すなわち打撃材用溝３１に打撃材３９を満たして一体化してもよくインサート射出成形によって一体化してもよい。
【００９７】
このように、打撃面３４や練習打撃面３４−１に打撃材３９が一体化されるように備えられることにより、使用者が打撃材３９を備えた打撃面３４でゴルフボールを打撃する場合に、一種類の金属だけからなる打撃面３４で打撃するのとは異なる打撃感と打撃音を得ることができる。このような実施例によると、使用者に多様な打撃感及び打撃音を提供することができるようになる。
【００９８】
一方、添付図面のうち、図２０は、図１７に示されている打撃部材の他の実施例を示した図面である。
【００９９】
図２０に示されているように、打撃部材３０が球形（球面）に形成されて球形の外周縁３４−３に練習打撃面３４が形成される場合、練習打撃面３４には打撃部材３０の外周縁３４−３の曲率よりも小さい曲率を有する球面打撃部３４−２が形成され、この球面打撃部３４−２に補助打撃面３４−５が形成されたことを除いては上述の実施例と同じである。
【０１００】
すなわち、打撃部材３０の外周縁３４−３に形成された練習打撃面３４に小さな曲率を有する球面打撃部３４−２が形成され、球面打撃部３４−２に補助打撃面３４−５が形成されることにより、挿入溝３５の中央から仮想の打撃面までの距離があらかじめ設定された場合に、補助打撃面３４−５の面積を大きく又は小さく形成することができる。すなわち、挿入溝３５の中央から仮想の打撃面までの距離があらかじめ設定された場合に、挿入溝３５の中央から仮想の打撃面までの距離は変化させずに、打撃される面の面積を大きく形成した打撃部材３０を形成したり、打撃される面の面積を小さく形成した打撃部材３０を形成したりすることができるのである。
【０１０１】
再び説明すれば、打撃部材３０を製造するとき、挿入溝３５の中央から仮想の打撃面までの距離があらかじめ設定された場合に、図２０に示されているように、練習打撃面３４に打撃部材３０の曲率よりも小さい曲率の球面打撃部３４−２を突出形成し、球面打撃部３４−２の打撃領域側に補助打撃面３４−５を形成し、この時、球面打撃部３４−２の曲率を大きく又は小さくすることによって、補助打撃面３４−５の面積を大きく又は小さくすることができる。このような構造によって、挿入溝３５の中央から仮想の打撃面までの距離は変わらずに、補助打撃面３４−５の面積は相異なる打撃部材３０を得ることができるようになる。このような構造は、図１９に示されている構造の通りである。
【０１０２】
そして、打撃部材３０の上面には打撃部材３０の価値を高め視認性を向上させるためのサファイア、キュービックのような宝石、準宝石からなる装飾部材Ｊが備えられることができ、この装飾部材Ｊは、打撃部材３０に形成されたねじ孔に締結されるねじ部を備えて締結構造により打撃部材３０に結合されてもよく、別途の結合構造により結合されてもよい。
【０１０３】
添付図面のうち、図２１は、本発明の第５実施例を示した可変型ゴルフパターを示した分解斜視図であり、図２２は、図２１に示されている可変型ゴルフパターの結合状態断面図であり、図２３は、図２１に示されている可変型ゴルフパターの使用状態を示した平面図である。
【０１０４】
図２１乃至図２３に示されているように、第５実施例による可変型ゴルフパターは、下記のように構成されたことを除いては上述の実施例と同じである。
【０１０５】
すなわち、可変型ゴルフパターは、シャフト１０の下端部１２に結合されるパターヘッド２００を含み、パターヘッド２００は、ゴルフボール状を有する球形からなりシャフト１０の下端部が結合される第１打撃部材３００Ａと、ゴルフボール状を有する球形からなり第１打撃部材３００Ａと一直線上に位置するように第１打撃部材３００Ａの側面に水平方向に結合される第２打撃部材３００Ｂと、ゴルフボール状を有する球形からなり第１打撃部材３００Ａ及び第２打撃部材３００Ｂと一直線上に位置するように第２打撃部材３００Ｂの側面に水平方向に結合される第３打撃部材３００Ｃと、第１打撃部材３００Ａと第２打撃部材３００Ｂ及び第３打撃部材３００Ｃを貫通した一端にナットが締結され他端にシャフト１０が締結されて第１打撃部材３００Ａと第２打撃部材３００Ｂ及び第３打撃部材３００Ｃを一体化させるための結合ロッド４００とを含んで構成されるものである。
【０１０６】
また、第１打撃部材３００Ａと第２打撃部材３００Ｂ及び第３打撃部材３００Ｃには、ゴルフボールと同じ曲率からなる球面打撃面３２０及び平面からなる平面打撃面３４０がそれぞれ形成され、平面打撃面３４０は大きさが相異なるようにそれぞれ形成される。すなわち、各打撃部材３００Ａ、３００Ｂ、３００Ｃの外周面を４等分し、一面は球面打撃面３２０を形成し、他の各面は大きさが相異なる平面打撃面３４０が形成される。このように一つの打撃部材に相異なる多数個の打撃面が形成されるのは、使用者が多様な大きさや形状（球面又は平面）を有する打撃面を選択して使用できるようにするためである。
【０１０７】
この時、第１打撃部材３００Ａと第２打撃部材３００Ｂ及び第３打撃部材３００Ｃは相異なる材質からなり、球面打撃面３２０及び平面打撃面３４０には、第１打撃部材３００Ａと第２打撃部材３００Ｂ及び第３打撃部材３００Ｃと異なる材質の打撃材３９０が一体化されるように備えられ、打撃材３９０は、球面打撃面３２０及び平面打撃面３４０に形成される打撃材用溝３１０に満たされるかインサート射出成形によって上記打撃部材と一体化される。
【０１０８】
そして、第１打撃部材３００Ａと第３打撃部材３００Ｃと対向する第２打撃部材３００Ｂの両側面及び第１打撃部材３００Ａと第３打撃部材３００Ｃには、第２打撃部材３００Ｂと第３打撃部材３００Ｃの位置を変更したり、それぞれの球面打撃面３２０及び平面打撃面３４０を選択したり、右利きと左利きによって打撃面３２０、３４０を変更可能にするための位置変更手段５００が備えられる。
【０１０９】
位置変更手段５００は、所定の長さを有する３〜８角形の連結結合部材５１０と、連結結合部材５１０が嵌合されるように第１打撃部材３００Ａと第２打撃部材３００Ｂ及び第３打撃部材３００Ｃの両側面に形成される３〜８角形の位置決定溝５２０とからなる。
【０１１０】
このような多角形の連結結合部材５１０と多角形の位置決定溝５２０は、本実施例で四角形からなることを基準として説明し、連結結合部材５１０の数は最小２個である。これは、真ん中に位置する打撃部材の両側に他の打撃部材がそれぞれ連結されて結合されるためである。
【０１１１】
上述の第１打撃部材３００Ａ、第２打撃部材３００Ｂ及び第３打撃部材３００Ｃは、ゴルフボールと同じ材質からなってもよく、金属材や合成樹脂材からなってもよい。
【０１１２】
そして、それぞれの連結結合部材５１０は、結合ロッド４００が貫通するための通過孔がそれぞれ形成される。
【０１１３】
このように構成された第５実施例による練習用ゴルフパターの作用を説明することにする。
【０１１４】
図２１乃至図２３に示されているように、第１打撃部材３００Ａにシャフト１０が結合され、第１打撃部材３００Ａの一側面に第２打撃部材３００Ｂが位置し、第２打撃部材３００Ｂの一側に第３打撃部材３００Ｃが位置した状態で、一つの連結結合部材５１０Ａの一端を第１打撃部材３００Ａの位置決定溝５２０に嵌合し、他端を第２打撃部材３００Ｂの一面に形成された位置決定溝５２０に嵌合する。そして、他の連結結合部材５１０Ｂの一端を第２打撃部材３００Ｂの他面に形成された位置決定溝５２０に嵌合し、他端を第３打撃部材３００Ｃの一面に形成された位置決定溝５２０に嵌合する。
【０１１５】
次いで、結合ロッド４００を第１打撃部材３００Ａ、第１連結結合部材５１０Ａ、第２打撃部材３００Ｂ、第２連結結合部材５１０Ｂ、第３打撃部材３００Ｃに貫通させる。そして、第３打撃部材３００Ｃの他面側の位置決定溝５２０と、第１打撃部材３００Ａの他側面側の位置決定溝５２０に露出した結合ロッド４００にナットを締結して第１、２、３打撃部材３００Ａ、３００Ｂ、３００Ｃを一体化させる。
【０１１６】
このような状態で図２３に示されているように、右利きの使用者は、第１、２、３打撃部材３００Ａ、３００Ｂ、３００Ｃからなるパターヘッド２００を有するパターでパッティング練習ができる。このとき、ゴルフボールを打撃する打撃面は、真ん中に位置する打撃部材の球面打撃面３２０又は平面打撃面３４０になる。
【０１１７】
一方、使用者が打撃面３２０、３４０のうち球面打撃面３２０を選択するためには、第１、２、３打撃部材３００Ａ、３００Ｂ、３００Ｃを一体化させた結合ロッド４０のナットを緩めて、真ん中に位置した第２打撃部材３００Ｂからそれぞれの連結結合部材５１０Ａ、５１０Ｂを外した後、第２打撃部材３００Ｂの位置を回転させて所望の球面打撃面３２０が打撃方向に位置するようにしてから、上述の過程で結合ロッド４０の両端にナットを締結して第１、２、３打撃部材３００Ａ、３００Ｂ、３００Ｃをまた一体化させる。
【０１１８】
そして、使用者が左利きの場合、使用者は図２４に示されているように打撃方向を変えて打撃すればよい。すなわち、それぞれの打撃部材３００Ｂ、３２０Ｃの多数の面に球面又は平面の打撃面３２０、３４０が形成されているため、左利き使用者はクラブを取り付けてから打撃方向のみ変えて打撃することができるようになる。
【０１１９】
このように、本実施例による練習用ゴルフパターは、各打撃部材３００Ｂ、３００Ｃを選択して打撃面を選択することができることにより、多様な打撃面３２０、３４０を用いてパッティング練習をより効率的にすることができ、特に、打撃方向が１ヶ所に固定されないように両方向に打撃面３２０、３４０が形成されることにより、右利きはもちろん左利きの使用者も容易にパッティング練習ができるようになる。
【０１２０】
また、球面打撃面３２０と平面打撃面３４０に各打撃部材３００Ｂ、３００Ｃとは異なる材質の打撃材３９０が備えられることにより、打撃練習時、使用者に多様な打撃感を提供することができるようになる。
【０１２１】
添付図面のうち、図２５は、本発明の第６実施例による可変型ゴルフパターを示した分解斜視図である。図２６は、図２５に示されている可変型ゴルフパターを示した結合状態斜視図である。図２７は、図２６の断面図である。
【０１２２】
図２５乃至図２７に示されているように、第６実施例による可変型ゴルフパターは、シャフト１０の下端部１２と結合されるためのシャフト結合孔２１とヘッド打撃面２４を有するパターヘッド２０と、パターヘッド２０に選択的に結合される打撃部材３０とを含む。
【０１２３】
パターヘッド２０には、締結ボルト４０が底面から上向きに貫通されるための貫通孔２２が段差状に形成される。上述の貫通孔２２に対応するヘッド打撃面２４の中央領域にはパターヘッド２０の上面２３の一部を打撃方向側に開放するための切開部２６が形成される。貫通孔２２の周辺領域には結合部２３Ａが形成される。結合部２３Ａは断面が四角形をなす。
【０１２４】
パターヘッド２０のシャフト結合孔２１は、右利き又は左利きの人が選択的にシャフト１０を結合して使用できるようにパターヘッド２０の両側にそれぞれ形成される。この時、シャフト１０の下端部１２と結合孔２１は、多角形に形成されるか、スプライン結合になるように形成されることで、パターヘッド２０とシャフト１０の結合角度を調節することができる。
【０１２５】
打撃部材３０は、両方外側面又は片方外側面に打撃面３４が形成されることができるが、本実施例では一側には打撃面３４が形成され反対側には補助打撃面３４−５が形成されることを基準として説明する。底面には結合部２３Ａと嵌合されるための結合溝Ｈが下向きに開放されるように形成される。結合溝Ｈの底面には締結ボルト４０が締結されるためのねじ締結溝Ｈ１が形成される。
【０１２６】
打撃部材３０には、打撃面３４の全体又は打撃面３４のうち正打点Ｐに該当する領域の面でゴルフボールを打撃したときに打撃音が発生するように打撃音発生溝３４−４が形成される。この打撃音発生溝３４−４は、図２７及び図２８に示されているように、打撃面３４に該当する領域又は打撃面３４の正打点Ｐに該当する領域において打撃部材３０の底面方向、側面方向、上面方向又は結合溝３５方向に開口されることができる。望ましくは、打撃部材３０の底面方向に開口される。
【０１２７】
このように打撃部材３０に打撃音発生溝３４−４を形成するのは、ゴルフボールを正打点Ｐで正確に打撃したときには軽快な打撃音が発生し、正打点Ｐではない領域で打撃したときには鈍い打撃音が発生するようにして、正確な打撃がなされたかを音で判断し認知するようにするためである。
【０１２８】
そして、図面に示されていないが、打撃音発生溝３４−４には、打撃部材３０とは異なる材質の金属材又は合成樹脂材からなる打撃材が充填されるか、嵌合されるか、インサート射出成形によって打撃部材３０と一体化されることができる。このような打撃材を一体化させるのは、多様な打撃感を発生させるためである。
【０１２９】
また、図２０、図２５、図２６に示されているように、打撃部材３０には打撃音発生溝３４−４が形成されなくてもよい。すなわち、打撃音発生溝３４−４は、必要に応じて選択的に形成することができる。
【０１３０】
打撃部材３０は、球形、半球形、四角形又は四角形を含む多角形と球形が結合された形状からなることができる。
【０１３１】
このように構成された打撃部材３０とパターヘッド２０は、次のような構造で互いに結合される。すなわち、打撃面３４又は補助打撃面３４−６が切開部２６を通してヘッド打撃面２４よりもさらに突出されるかヘッド打撃面２４と一致するように結合溝Ｈに結合部２３Ａが挿入されて互いに結合された状態で締結ボルト４０が貫通孔２２を通してねじ締結溝Ｈ１に締結されることにより、打撃部材３０がパターヘッド２０に取り替え可能に結合される。
【０１３２】
他の実施例による打撃部材３０は、図２５乃至図２７に示されているように、打撃部材３０の外周面には打撃方向を表示するための標識Ｃが多数個の溝又はラインからなって形成される。使用者は、この標識Ｃを通してパッティング方向を認知してパッティングに適用することができる。このために標識Ｃは一列に形成される。
【０１３３】
また他の実施例による打撃部材３０は、図２５乃至図２７に示されているように、その上面に宝石又は準宝石からなる装飾のための装飾部材Ｊ１が備えられる。このような装飾部材Ｊ１は、一部が打撃部材３０の上面中央に形成される嵌合溝に嵌合されるか、装飾部材Ｊ１に備えられた雄ねじからなる締結部が打撃部材３０の上面に形成されたねじ孔に締結されて結合されることができる。このような構造は、装飾部材Ｊ１の取り替え又は交換を容易にするためのものである。このとき、装飾部材Ｊ１は、溝状の標識Ｃに結合されてもよく、標識Ｃとは異なる位置に形成されてもよい。
【０１３４】
そして、打撃部材３０が球形、半球形又は多角形と球形が結合された形状からなり、全体大きさ（直径）が設定され、打撃のための打撃位置Ｐ２が球形のボディ外周縁に形成され、打撃部材３０の中心Ｐ１と打撃位置Ｐ２との距離Ｌがあらかじめ設定された場合に、図２５乃至図２７に示されているように、打撃される面の面積を大きく又は小さく形成できるように、外周縁に形成される打撃面３４には半球形の補助具３４−６を突出形成し、補助具３４−６に補助打撃面３４−５を形成する。
【０１３５】
すなわち、図２７に示されているように、打撃部材３０の中心Ｐ１と打撃位置Ｐ２との距離Ｌがあらかじめ設定され、打撃部材３０の大きさがあらかじめ決められた場合には、球形のボディ外周縁に形成される打撃面３４の面積を大きく又は小さく形成することができない。これを解消するために、球形のボディ外周縁に形成される打撃面３４に半球形の補助具３４−６を突出形成する。そして、打撃位置Ｐ２に該当する補助具３４−６の外周縁に補助打撃面３４−５を扁平に形成する。
【０１３６】
再び説明すれば、補助打撃面３４−５の面積が大きい打撃部材３０を形成するためには、補助具３４−６の大きさを大きくして補助具３４−６の頂点領域（打撃される位置）に補助打撃面３４−５を面積が大きくなるように形成し、補助打撃面３４−５の面積が小さい打撃部材３０を形成するためには、補助具３４−６の大きさを小さくした後、補助具３４−６の頂点領域（打撃される位置）に補助打撃面３４−５を面積が小さくなるように形成する。このような過程で補助打撃面３４−５の大きさ（面積）が相異なる打撃部材３０をそれぞれ備えることができる。
【０１３７】
すなわち、打撃のための打撃位置Ｐ２と打撃部材３０の中心Ｐ１との距離Ｌは変化させずに、補助打撃面３４−５の面積を大きく形成して補助打撃面３４−５の面積が大きい打撃部材３０を得るか、補助打撃面３４−５の面積を小さく形成して補助打撃面３４−５の面積が小さい打撃部材３０を得ることができるのである。よって、使用者は自身が所望する大きさの補助打撃面３４−５を有する打撃部材３０を選択して使用することができるようになる。
【０１３８】
以上、本発明の特定の実施例が説明され図示されているが、本発明は記載の実施例に限定されるものではなく、本発明の思想及び範囲を逸脱せずに多様な修正及び変形が可能であることは、本技術の分野における通常の知識を有する者にとって自明なことである。従って、そのような修正例又は変形例は、本発明の技術的思想や観点から個別に理解されてはならず、変形された実施例は本発明の特許請求の範囲に属するものとしなければならない。
【産業上の利用可能性】
【０１３９】
本発明は、パターヘッドに多様な打撃面積を有する打撃部材を選択的に結合して打撃練習できるように構成されたものであり、使用者に多様な打撃感を提供することができる。よって、ゴルフ業界に有用に適用することができるため、産業上の利用可能性のある発明である。
【符号の説明】
【０１４０】
１０：シャフト
２０、２００：パターヘッド
２１：結合部
２２：貫通孔
２３：上面
２３Ａ：縁
２４：パターヘッドの打撃面
２５：装着溝
２６：切開部
２７：結合突起
３０：打撃部材
３１：打撃材用溝
３２：装着面
３２Ａ：支持面
３２Ｂ：ねじ締結溝
３２Ｃ：結合溝
３２Ｃ−１：結合面
３３：結合部
３４、３４０：打撃面
３４−１：練習打撃面
３４Ａ、３４−２、３２０：球面打撃面
３４Ｂ、３４０：平面打撃面
３５：挿入溝
３７：厚さ調節溝
３９：打撃材
４０：締結ボルト
２１０：結合部材
３００Ａ：第１打撃部材
３００Ｂ：第２打撃部材
３２０Ｃ：第３打撃部材
４００：結合ロッド
５００：位置変更手段
５１０、５１０Ａ、５１０Ｂ：連結結合部材
５２０：位置決定溝
【図１】
2021502145.tif 000003
【図２】
2021502145.tif 000004
【図３】
2021502145.tif 000005
【図４】
2021502145.tif 000006
【図５】
2021502145.tif 000007
【図６】
2021502145.tif 000008
【図７】
2021502145.tif 000009
【図８】
2021502145.tif 000010
【図９】
2021502145.tif 000011
【図１０】
2021502145.tif 000012
【図１１】
2021502145.tif 000013
【図１２】
2021502145.tif 000014
【図１３】
2021502145.tif 000015
【図１４】
2021502145.tif 000016
【図１５】
2021502145.tif 000017
【図１６】
2021502145.tif 000018
【図１７】
2021502145.tif 000019
【図１８】
2021502145.tif 000020
【図１９】
2021502145.tif 000021
【図２０】
2021502145.tif 000022
【図２１】
2021502145.tif 000023
【図２２】
2021502145.tif 000024
【図２３】
2021502145.tif 000025
【図２４】
2021502145.tif 000026
【図２５】
2021502145.tif 000027
【図２６】
2021502145.tif 000028
【図２７】
2021502145.tif 000029
【図２８】
2021502145.tif 000030
【国際調査報告】
2021502145.tif 000031
2021502145.tif 000032
2021502145.tif 000033
2021502145.tif 000034
2021502145.tif 000035
2021502145.tif 000036